(57)【要約】【課題】共通ユニットと着脱可能に接続した交換ユニットを交換して使用する場合、交換ユニットごとに共通ユニットが行う処理条件を確実に設定することができること。【解決手段】受信装置２は、着脱可能に接続された無線ユニット２ａと受信本体ユニット２ｂとを備え、無線ユニット２ａは、自無線ユニットを識別する識別情報としての無線ユニットＩＤ情報１２ａを記憶し、受信本体ユニット２ｂは、無線ユニットに対応する処理条件を記録した処理条件テーブル１６ａを記憶し、自受信本体ユニット２ｂが行う処理条件を設定する設定制御手段としての設定制御部Ｃ１ｂを備え、設定制御部Ｃ１ｂは、無線ユニット２ａから無線ユニットＩＤ情報１２ａを取得し、取得した無線ユニットＩＤ情報１２ａに対応して受信本体ユニット２ｂが行う処理条件を、処理条件テーブル１６ａから選択して設定する。【選択図】        図１
2006102007.tif 000002
【特許請求の範囲】
【請求項１】
自無線ユニットを識別する識別情報を記憶する記憶手段を有し、アンテナを介して受信した無線信号をベースバンド信号に復調する無線ユニットと、
予め各無線ユニットに対応して自受信本体ユニットが行う処理条件を記憶した記憶テーブルと、前記無線ユニットが接続された場合、前記識別情報を取得し、前記記憶テーブルを参照して前記取得した識別情報に対応する前記処理条件を選択し、自受信本体ユニットが行う処理条件を前記選択した処理条件に設定する設定制御手段とを有し、前記ベースバンド信号をもとに少なくとも前記無線ユニット側からの送信情報を得る処理を行う受信本体ユニットと、
を備えたことを特徴とする受信装置。
【請求項２】
前記受信本体ユニットは、各アンテナを介して受信される前記無線信号の信号強度をもとにアンテナの切替制御を行う切替制御手段を備え、
前記設定制御手段は、前記記憶テーブルに記憶されたアンテナ数の情報をもとに、前記処理条件を、前記切替制御手段にアンテナの切替制御を行わせる処理条件に設定することを特徴とする請求項１に記載の受信装置。
【請求項３】
前記受信本体ユニットは、前記無線ユニット側からの送信情報に基づいた画像情報を表示する画像表示手段を備え、
前記設定制御手段は、前記記憶テーブルに記憶された前記画像情報の出力方法の情報をもとに、前記処理条件を、前記画像表示手段に前記画像情報を表示させる処理条件に設定することを特徴とする請求項１または２に記載の受信装置。
【請求項４】
前記受信本体ユニットは、前記無線ユニット側から送られた送信情報に対して可変の処理速度で処理を行う処理手段を備え、
前記設定制御手段は、前記記憶テーブルに記憶された前記送信情報の送信レートの情報をもとに、前記処理手段の処理速度を設定することを特徴とする請求項１〜３のいずれか一つに記載の受信装置。
【請求項５】
自装置を識別する識別情報を記憶する記憶手段を有し、アンテナを介して受信した無線信号をベースバンド信号に復調する無線装置と、
予め各無線装置に対応して自装置が行う処理条件を記憶した記憶テーブルと、前記無線装置が接続された場合、前記識別情報を取得し、前記記憶テーブルを参照して前記取得した識別情報に対応する前記処理条件を選択し、自装置が行う処理条件を前記選択した処理条件に設定する設定制御手段とを有し、前記ベースバンド信号をもとに少なくとも前記無線装置側からの送信情報を得る処理を行う受信本体装置と、
前記無線装置と前記受信本体装置とを接続する接続手段と、
を備えたことを特徴とする受信システム。
【請求項６】
前記受信本体装置は、前記無線装置側からの送信情報に基づいた画像情報を表示する画像表示手段を備え、
前記設定制御手段は、前記記憶テーブルに記憶された前記画像情報の出力方法の情報をもとに、前記処理条件を、前記画像表示手段に前記画像情報を表示させる処理条件に設定することを特徴とする請求項５に記載の受信システム。
【発明の詳細な説明】
【技術分野】
【０００１】
本発明は、アンテナを用いて受信した無線信号をベースバンド信号に復調し、復調したベースバンド信号をもとに送信情報を取得する受信装置および受信システムに関し、特に被検体内のカプセル型内視鏡から送信される無線信号を被検体外のアンテナを用いて受信する受信装置および受信システムに関するものである。
【背景技術】
【０００２】
近年、内視鏡の分野において、飲込み型のカプセル型内視鏡が開発されている。このカプセル型内視鏡は、撮像機能と無線通信機能とを備え、体腔内の観察のために患者の口から飲み込まれた後、人体から自然排出されるまでの間、たとえば食道、胃、小腸などの臓器の内部をその蠕動運動にしたがって移動し、順次撮像する機能を有する。
【０００３】
体腔内を移動する間、カプセル型内視鏡によって体内で撮像された画像データは、順次無線通信により体外に送信され、体外の受信機内に設けられたメモリに蓄積されるか、受信機に設けられたディスプレイに画像表示される。医師もしくは看護師においては、メモリに蓄積された画像データをもとにディスプレイに表示させた画像、または受信とともに受信機に設けられたディスプレイに表示させた画像に基づいて診断を行うことができる。
【０００４】
画像データをメモリに蓄積する場合、一般に受信機は、カプセル型内視鏡から送信される画像信号を受信するための複数のアンテナを体外に分散配置し、受信する受信強度が強い１つのアンテナを選択切替して受信するようにしている。たとえば特許文献１には、体外に配置された複数のアンテナの受信切替を行い、各アンテナが受信する電界強度をもとに、画像信号の発信源である体内のカプセル型内視鏡の位置を探知する受信機が記載されている。
【０００５】
【特許文献１】特開２００３−１９１１１号公報
【発明の開示】
【発明が解決しようとする課題】
【０００６】
ところで、カプセル型内視鏡から送信される無線信号の周波数は、国別に使用できる周波数が異なっている。このため、従来の受信機では、使用する国別に専用の受信機を製作しなければならないという問題があった。また、用途別に、たとえば、画像データを受信してメモリに蓄積するか、あるいは画像データを受信するとともに受信機に設けたディスプレイに表示するかによって、専用の受信機を製作しなければならないという問題があった。
【０００７】
本発明は、上記に鑑みてなされたものであって、国別、用途別等によって変更が必要な要素で構成される交換ユニットと、共通に使用できる要素で構成される共通ユニットとによって全体を構成し、これらのユニットを着脱可能に接続して交換ユニットのみを目的に応じて交換して使用することができるとともに、交換ユニットを交換するごとに共通ユニットが行う処理条件を確実に設定することができ、この結果、所望の情報を確実に得ることができる受信装置および受信システムを提供することを目的とする。
【課題を解決するための手段】
【０００８】
上記の目的を達成するために、本発明の請求項１にかかる受信装置は、自無線ユニットを識別する識別情報を記憶する記憶手段を有し、アンテナを介して受信した無線信号をベースバンド信号に復調する無線ユニットと、予め各無線ユニットに対応して自受信本体ユニットが行う処理条件を記憶した記憶テーブルと、前記無線ユニットが接続された場合、前記識別情報を取得し、前記記憶テーブルを参照して前記取得した識別情報に対応する前記処理条件を選択し、自受信本体ユニットが行う処理条件を前記選択した処理条件に設定する設定制御手段とを有し、前記ベースバンド信号をもとに少なくとも前記無線ユニット側からの送信情報を得る処理を行う受信本体ユニットと、を備えたことを特徴とする。
【０００９】
また、本発明の請求項２にかかる受信装置は、上記の発明において、前記受信本体ユニットは、各アンテナを介して受信される前記無線信号の受信強度をもとにアンテナの切替制御を行う切替制御手段を備え、前記設定制御手段は、前記記憶テーブルに記憶されたアンテナ数の情報をもとに、前記処理条件を、前記切替制御手段にアンテナの切替制御を行わせる処理条件に設定することを特徴とする。
【００１０】
また、本発明の請求項３にかかる受信装置は、上記の発明において、前記受信本体ユニットは、前記無線ユニット側からの送信情報に基づいた画像情報を表示する画像表示手段を備え、前記設定制御手段は、前記記憶テーブルに記憶された前記画像情報の出力方法の情報をもとに、前記処理条件を、前記画像表示手段に前記画像情報を表示させる処理条件に設定することを特徴とする。
【００１１】
また、本発明の請求項４にかかる受信装置は、上記の発明において、前記受信本体ユニットは、前記無線ユニット側から送られた送信情報に対して可変の処理速度で処理を行う処理手段を備え、前記設定制御手段は、前記記憶テーブルに記憶された前記送信情報の送信レートの情報をもとに、前記処理手段の処理速度を設定することを特徴とする。
【００１２】
また、本発明の請求項５にかかる受信システムは、自装置を識別する識別情報を記憶する記憶手段を有し、アンテナを用いて受信した無線信号をベースバンド信号に復調する無線装置と、予め各無線装置に対応して自装置が行う処理条件を記憶した記憶テーブルと、前記無線装置が接続された場合、前記識別情報を取得し、前記記憶テーブルを参照して前記取得した識別情報に対応する前記処理条件を選択し、自装置が行う処理条件を前記選択した処理条件に設定する設定制御手段とを有し、少なくとも前記ベースバンド信号をもとに前記無線装置側からの送信情報を得る処理を行う受信本体装置と、前記無線装置と前記受信本体装置とを接続する接続手段と、を備えたことを特徴とする。
【００１３】
また、本発明の請求項６にかかる受信システムは、上記の発明において、前記受信本体装置は、前記無線装置側からの送信情報に基づいた画像情報を表示する画像表示手段を備え、前記設定制御手段は、前記記憶テーブルに記憶された前記画像情報の出力方法の情報をもとに、前記処理条件を、前記画像表示手段に前記画像情報を表示させる処理条件に設定することを特徴とする。
【発明の効果】
【００１４】
本発明にかかる受信装置および受信システムによれば、交換ユニットと共通ユニットとによって全体を構成し、これらのユニットを着脱可能に接続して交換ユニットのみを目的に応じて交換して使用することができるとともに、交換ユニットを交換するごとに共通ユニットが行う処理条件を確実に設定することができ、この結果、所望の情報を確実に得ることができる。
【発明を実施するための最良の形態】
【００１５】
以下、添付図面を参照して、本発明にかかる受信装置および受信システムの好適な実施の形態である無線型被検体内情報取得システムについて説明する。なお、この実施の形態によりこの発明が限定されるものではない。また、図面の記載において、同一部分には同一の符号を付している。
【００１６】
（実施の形態１）
図１は、無線型被検体内情報取得システムの全体構成を示す模式図である。この無線型被検体内情報取得システムは、送信装置である被検体内導入装置の一例としてカプセル型内視鏡を用いている。図１に示すように、無線型被検体内情報取得システムは、被検体１の体内に導入され、体腔内画像を撮像して受信装置２に対して映像信号などのデータ送信を無線によって行うカプセル型内視鏡３と、カプセル型内視鏡３から無線送信された体腔内画像データを受信する受信装置２と、受信装置２が受信した映像信号に基づいて体腔内画像を表示する表示装置４と、受信装置２と表示装置４との間のデータ受け渡しを行うための携帯型記録媒体５とを備える。また、受信装置２は、被検体１の体外表面に貼付される複数の受信用アンテナＡ１〜Ａｎを有した無線ユニット２ａと、複数の受信用アンテナＡ１〜Ａｎを介して受信された無線信号の処理等を行う受信本体ユニット２ｂとを備え、これらユニットはコネクタ等を介して着脱可能に接続される。なお、受信用アンテナＡ１〜Ａｎのそれぞれは、たとえば、被検体１が着用可能なジャケットに備え付けられ、被検体１は、このジャケットを着用することによって受信用アンテナＡ１〜Ａｎを装着するようにしてもよい。また、この場合、受信用アンテナＡ１〜Ａｎは、ジャケットに対して着脱可能なものであってもよい。
【００１７】
表示装置４は、カプセル型内視鏡３によって撮像された体腔内画像を表示するためのものであり、携帯型記録媒体５によって得られるデータをもとに画像表示を行うワークステーション等の構成を有する。具体的には、表示装置４は、ＣＲＴディスプレイ、液晶ディスプレイ等によって直接画像を表示する構成としてもよいし、プリンタ等のように、他の媒体に画像を出力する構成としてもよい。
【００１８】
携帯型記録媒体５は、コンパクトフラッシュ（登録商標）メモリ等が用いられ、受信本体ユニット２ｂおよび表示装置４に対して着脱可能であって、両者に対する挿着時に情報の出力または記録が可能な機能を有する。具体的には、携帯型記録媒体５は、カプセル型内視鏡３が被検体１の体腔内を移動している間は受信本体ユニット２ｂに挿着され、カプセル型内視鏡３から送信されるデータが、携帯型記録媒体５に記録される。そして、カプセル型内視鏡３が被検体１から排出された後、つまり、被検体１の内部の撮像が終わった後には、受信本体ユニット２ｂから取り出されて表示装置４に挿着され、表示装置４によって記録されたデータが読み出される。受信本体ユニット２ｂと表示装置４との間のデータの受け渡しを携帯型記録媒体５によって行うことで、被検体１が体腔内の撮像中に自由に行動することが可能となり、また、表示装置４との間のデータの受け渡し期間の短縮にも寄与している。なお、受信本体ユニット２ｂと表示装置４との間のデータの受け渡しは、受信本体ユニット２ｂに内蔵型の他の記録装置を用い、表示装置４と有線または無線接続するように構成してもよい。
【００１９】
ここで、図２を参照して、無線ユニット２ａおよび受信本体ユニット２ｂについて説明する。図２は、受信装置２の構成を示すブロック図である。無線ユニット２ａは、カプセル型内視鏡３から送信された無線信号を受信してベースバンド信号に復調する。図２に示すように、無線ユニット２ａは、受信用アンテナＡ１〜Ａｎのいずれか１つを選択的に切り替える接続切替処理を行う切替スイッチＳＷと、この切替スイッチＳＷの後段に接続され、切替スイッチＳＷによって切替接続された受信用アンテナＡ１〜Ａｎからの無線信号を増幅し、復調する受信回路１１と、記憶手段としてのメモリ１２を備える。メモリ１２は、自無線ユニットを識別する識別情報としての無線ユニットＩＤ情報１２ａを記憶する。
【００２０】
受信本体ユニット２ｂは、無線ユニット２ａが復調したベースバンド信号を受信して処理する。図２に示すように、受信本体ユニット２ｂは、受信回路１１の後段に接続される信号処理回路１３およびＡ／Ｄ変換部１４、信号処理回路１３によって処理された画像データを表示する表示部１５、各種情報を記憶する記憶部１６、携帯型情報記録媒体５、これらの各構成部位を制御する制御部Ｃ１および受信本体ユニット２ｂと無線ユニット２ａとに電力供給を行う電力供給部１７を備える。信号の処理速度が可変な処理手段としての信号処理回路１３は、たとえば、ＰＬＬ（Phase Locked Loop）等によって実現される信号処理速度の可変手段を備える。制御部Ｃ１は、アンテナの切替制御を行う切替制御手段としての切替制御部Ｃ１ａと、受信本体ユニット２ｂが行う処理条件を設定する設定制御手段としての設定制御部Ｃ１ｂとを備える。記憶部１６は、無線ユニットＩＤ情報１２ａに対応して受信本体ユニット２ｂが行う処理条件を記憶する記憶テーブルとしての処理条件テーブル１６ａを備える。
【００２１】
受信回路１１は、切替スイッチＳＷから出力された無線信号を増幅し、復調したベースバンド信号Ｓ１を信号処理回路１３に出力するとともに、増幅した無線信号の信号強度を示す受信強度信号Ｓ２をＡ／Ｄ変換部１４に出力する。信号処理回路１３によって処理された画像データは、制御部Ｃ１によって携帯型情報記録媒体５に記憶されるとともに、必要に応じて表示部１５に画像表示される。Ａ／Ｄ変換部１４によってデジタル信号に変換された受信強度信号Ｓ２は、制御部Ｃ１に取り込まれる。切替制御部Ｃ１ａは、受信用アンテナＡ１〜Ａｎを順次切り替えて得たこの受信強度信号Ｓ２をもとに、最も大きい信号強度で受信した受信用アンテナを、画像データを取得するための受信用アンテナとして選択するとともに、このアンテナへの切り替えを指示する切替信号Ｓ３を切替スイッチＳＷに出力する。また、制御部Ｃ１は、選択された受信用アンテナと対応付けて、画像データとともに各受信用アンテナで受信した信号強度を携帯型情報記録媒体５に記憶する。この記憶された各受信用アンテナの信号強度は、画像データが受信されたときの体内のカプセル型内視鏡３の位置を算出するための情報となる。
【００２２】
設定制御部Ｃ１ｂは、接続されている無線ユニットを識別する識別情報として、無線ユニット２ａから無線ユニットＩＤ情報１２ａを取得し、受信本体ユニット２ｂが記憶する処理条件テーブル１６ａを参照し、取得した無線ユニットＩＤ情報１２ａに対応する処理条件を処理条件テーブル１６ａから選択し、受信本体ユニット２ｂが行う処理条件をこの選択した処理条件に設定する。ここで、受信本体ユニット２ｂが行う処理条件とは、使用する国別、用途別、あるいは受信する画像情報のフレームレート別など、使用条件の異なる種々の無線ユニットに対応して受信本体ユニット２ｂが行う処理の設定条件を意味する。処理条件テーブル１６ａには、組み合わされる可能性のある種々の無線ユニットに対応する処理条件が、無線ユニットＩＤに対応付けて予め記憶されている。設定制御部Ｃ１ｂは、たとえば、無線ユニットＩＤ情報１２ａに対応する処理条件として、切替スイッチＳＷによるアンテナの接続切替処理をオンする処理条件を処理条件テーブル１６ａから選択し、切替制御部Ｃ１ａにアンテナの接続切替処理を行わせる。
【００２３】
無線ユニット２ａは、図３に示すように、無線ユニット２ａとは受信用アンテナの本数が異なる別種の無線ユニット２２ａに交換することができる。無線ユニット２２ａは、１つの受信用アンテナＢ１と、受信回路１３と、メモリ３２とを備える。メモリ３２は、無線ユニットＩＤ情報３２ａを記憶する。受信用アンテナＢ１は、直接、受信回路３１に接続され、受信回路３１は、受信用アンテナＢ１からの無線信号を増幅して復調し、復調したベースバンド信号Ｓ１を信号処理回路１３に出力する。この無線ユニット２２ａが接続された場合、設定制御部Ｃ１ｂは、たとえば、無線ユニットＩＤ情報３２ａに対応する処理条件として、信号処理回路１３によって処理された画像データを表示部１５に表示する処理条件を処理条件テーブル１６ａから選択する。
【００２４】
ここで、図４を参照して、無線ユニットＩＤ情報をもとに設定制御部Ｃ１ｂが設定する受信本体ユニット２ｂの処理条件について詳細に説明する。図４は、各無線ユニットを識別する無線ユニットＩＤと、受信本体ユニット２ｂが行う処理条件の対応関係を示す処理条件テーブル１６ａの一例を示す図である。図４に示す処理条件テーブルは、受信本体ユニット２ｂに組み合わされる可能性のある無線ユニットＩＤごとに、左側に無線ユニットＩＤを、右側に受信本体ユニット２ｂが行う処理条件を示している。無線ユニットＩＤは、図４に示すように、たとえば、種別ＩＤ、国別ＩＤ、本数ＩＤ、フレームレートＩＤおよびシリアルＩＤの５項目のＩＤが連結した形で表わされる。この場合、種別ＩＤは、たとえば、複数の受信用アンテナを有する無線ユニットであるか否かを識別するとともに、カプセル型内視鏡３から取得した画像データを携帯型記録媒体５に記録するか、表示部１５が備えるディスプレイに表示するかを識別する情報を有する。また、国別ＩＤは、無線ユニットの仕向け地である国もしくは地域を識別する情報を有し、本数ＩＤは、無線ユニットが有する受信用アンテナの本数を識別する情報を有する。さらに、フレームレートＩＤは、無線ユニットが受信する画像情報のフレームレートを識別する情報を有し、シリアルＩＤは、無線ユニットの個体を識別する情報を有する。なお、無線ユニットが受信する画像情報のフレームレートは、カプセル型内視鏡３が撮像して送信するフレームレートに等しく、また、無線ユニットから受信本体ユニット２ｂへの送信情報の送信レートに等しい。
【００２５】
一方、受信本体ユニット２ｂが行う処理条件は、たとえば、図４に示すように、切替制御部Ｃ１ａが行うアンテナ切替処理のオン／オフ、カプセル型内視鏡３から取得した画像データのディスプレイ表示のオン／オフ、表示言語の日本語または英語の切り替え、受信本体ユニット２ｂが処理する必要のある受信用アンテナの本数、画像データを処理する処理速度等がある。この場合、設定制御部Ｃ１ｂは、種別ＩＤによってアンテナ切替処理のオン／オフ設定を判断するとともに、切り替える必要のある受信用アンテナの本数を本数ＩＤによって認識する。また、設定制御部Ｃ１ｂは、カプセル型内視鏡３から取得した画像データを携帯型記憶媒体５に記憶するか、またはディスプレイに表示するかの設定を種別ＩＤによって判断し、表示言語を日本語にするか、英語にするか、あるいは別の言語にするかの設定を国別ＩＤによって判断する。さらに、設定制御部Ｃ１ｂは、信号処理回路１３で処理する画像データの処理速度をフレームレートＩＤに基づいて設定する。
【００２６】
具体的には、図４に示す無線ユニットＩＤ「０１ＪＰ０００００１」の場合、設定制御部Ｃ１ｂは、種別ＩＤ「０１」によって、複数の受信用アンテナを有する無線ユニットであることが識別し、アンテナ切替処理をオンするとともに、画像データのディスプレイ表示をオフする。また、設定制御部Ｃ１ｂは、国別ＩＤ「ＪＰ」によって、表示言語を日本語に設定し、本数ＩＤ「００」によって、アンテナ切替処理で切り替えるアンテナ数を１０本に設定する。さらに、設定制御部Ｃ１ｂは、フレームレートＩＤ「００」によって、信号処理回路１３で処理する画像データの処理速度を２ｆｐｓのフレームレートに対応する速度に設定する。同様に、無線ユニットＩＤ「０２ＪＰ１１１１０１」の場合、設定制御部Ｃ１ｂは、種別ＩＤ「０２」によって、１つの受信用アンテナを有する無線ユニットであることを識別し、アンテナ切替処理をオフするとともに、画像データのディスプレイ表示をオンする。また、設定制御部Ｃ１ｂは、フレームレートＩＤ「１１」によって、信号処理回路１３で処理する画像データの処理速度を２５ｆｐｓのフレームレートに対応する速度に設定する。
【００２７】
なお、設定制御部Ｃ１ｂが実際に処理する無線ユニットＩＤは、たとえば、種別ＩＤ、国別ＩＤ、本数ＩＤ、フレームレートＩＤおよびシリアルＩＤごとに８ビットのデジタル情報である。また、無線ユニットＩＤは、６項目以上に対応するＩＤを連結した形で表現してもよく、あるいは、項目に依らず、すべての無線ユニットＩＤをシリアルナンバー化してもよい。また、受信本体ユニットで行う処理条件として、たとえば、被検体による電源スイッチの操作の有効／無効を設定する処理条件を設けてもよい。
【００２８】
以上説明したこの実施の形態１にかかる受信装置２，２２では、無線ユニット２ａ，２２ａと受信本体ユニット２ｂとが着脱可能に接続され、無線ユニット２ａ，２２ａは、自ユニットを識別する識別情報としての無線ユニットＩＤ情報１２ａ，３２ａを記憶し、受信本体ユニット２ｂは、組み合わされる可能性のある各無線ユニットに対応して自ユニットが行う処理条件を予め記憶テーブルとしての処理条件テーブル１６ａに記憶し、設定制御部Ｃ１ｂが、接続された無線ユニットごとに無線ユニットＩＤ情報を取得し、取得した無線ユニットＩＤ情報に対応して受信本体ユニット２ｂが行う処理条件を処理条件テーブル１６ａから選択して設定するため、受信本体ユニット２ｂを共通に、無線ユニットを交換して使用することができるとともに、無線ユニットごとに受信本体ユニット２ｂが行う処理条件を自動的に確実に設定することができ、この結果、カプセル型内視鏡３が出力する画像データを確実に取得することができる。
【００２９】
（実施の形態２）
つぎに、本発明の実施の形態２について説明する。上述した実施の形態１では、無線ユニットと受信本体ユニットとを直接接続して受信装置としていたが、この実施の形態２では、無線ユニットと受信本体装置とをケーブルを介して接続し、この全体を受信装置に対応する受信システムとして用いるようにしている。
【００３０】
図５は、本発明の実施の形態２にかかる無線型被検体内情報取得システムの全体構成を示す模式図である。図５に示すように、この無線型被検体内情報取得システムは、図１に示した無線型被検体内情報取得システムの無線ユニット２ａに代えて無線ユニット２２ａを備え、受信本体ユニット２ｂに代えて受信本体装置４２ｂを備え、これらの間をケーブル４２ｃで接続して構成した受信システム４２を備える。その他の構成は、実施の形態１と同じであり、同一構成部分には同一符号を付している。
【００３１】
図５に示すケーブル４２ｃは、無線装置としての無線ユニット２２ａと、受信本体装置４２ｂとを接続する接続手段であって、シリアルケーブル等が用いられる。ケーブル４２ｃは、ＲＳ２３２Ｃ、ＵＳＢ、ＩＥＥＥ１３９４等の接続インターフェース、あるいは拡張ボード、ＰＣカード等のインターフェースを介して無線ユニット２２ａおよび受信本体装置４２ｂに接続される。
【００３２】
ここで、図６を参照して、受信システム４２について説明する。図６は、受信システム４２の構成を示すブロック図である。図６に示すように、受信システム４２は、無線ユニット２２ａと受信本体装置４２ｂとを備え、これらがケーブル４２ｃを介して着脱可能に接続されている。受信本体装置４２ｂは、ワークステーション、パーソナルコンピュータ等が用いられ、無線ユニット２２ａが復調し、出力したベースバンド信号を、ケーブル４２を介して受信して処理する機能を有する。受信本体ユニット２ｂに対応する構成として、制御部Ｃ２、設定制御部Ｃ２ｂ、信号処理回路１３、表示部５５、記憶部５６、処理条件テーブル５６ａおよび電力供給部５７を備え、さらにキーボード、マウス等の入力手段である入力部５８を備える。設定制御部Ｃ２ｂは、接続された無線ユニットごとに無線ユニットＩＤ情報を取得し、取得した無線ユニットＩＤ情報に対応して受信本体装置４２ｂが行う処理条件を、処理条件テーブル５６ａが記憶する記憶テーブルから選択して設定する。
【００３３】
以上説明したこの実施の形態２にかかる受信システム４２では、無線装置としての無線ユニット２２ａと受信本体装置４２ｂとが着脱可能に接続され、無線ユニット２２ａは、自ユニットを識別する識別情報としての無線ユニットＩＤ情報３２ａを記憶し、受信本体装置４２ｂは、組み合わされる可能性のある各無線ユニットに対応して自装置が行う処理条件を予め記憶テーブルとしての処理条件テーブル５６ａに記憶し、設定制御部Ｃ２ｂが、接続された無線ユニットごとに無線ユニットＩＤ情報を取得し、取得した無線ユニットＩＤ情報に対応して受信本体装置４２ｂが行う処理条件を処理条件テーブル５６ａから選択して設定するため、受信本体装置４２ｂを共通に、無線ユニットを交換して使用することができるとともに、無線ユニットごとに受信本体装置４２ｂが行う処理条件を自動的に確実に設定することができ、この結果、カプセル型内視鏡３が出力する画像データを確実に取得することができる。また、受信システム４２では、受信本体装置４２ｂとしてワークステーション等据え置き型のコンピュータを用いることによって、携行型の受信本体ユニット２ｂが備えるディスプレイに比して、大画面のディスプレイによって画像データを表示することができ、特にリアルタイムで体腔内を観察する場合に、観察および診断の精度を向上させることができる。
【００３４】
なお、図６に示した受信本体装置４２ｂでは、設定制御部Ｃ２ｂを含む制御部Ｃ２、信号処理回路１３および処理条件テーブル５６ａが受信本体装置内に構成されるものとして説明したが、これらは、たとえば、拡張ボード上に構成するか、あるいは外部装置として構成して、所定のインターフェースを介し、必要時にワークステーション等に接続するようにしてもよい。この接続方法によって、受信システムの汎用性および利便性を促進することができる。
【００３５】
また、無線ユニットと受信本体ユニットとの接続、および無線装置と受信本体装置との接続では、フォトカプラ等を用いて光信号を送信するようにしてもよい。この接続によってユニット間または装置間の絶縁性を高め、信号ノイズを低減することができる。
【００３６】
さらに、無線装置と受信本体装置との接続は、ケーブルに代えて、ＩｒＤＡに準拠した赤外線通信インターフェース等の無線通信を用いてもよく、ＬＡＮ等のネットワークを介して接続をしてもよい。この接続よって、受信システムの操作性および利便性を促進することができる。
【００３７】
また、受信本体ユニットおよび受信本体装置の電源供給部では、電源トランスを用いてもよい。これによって、電源ノイズを低減させることができる。
【図面の簡単な説明】
【００３８】
【図１】本発明の実施の形態１にかかる無線型被検体内情報取得システムの全体構成を示す模式図である。
【図２】図１に示した受信装置の構成を示すブロック図である。
【図３】本発明の実施の形態１にかかる受信装置の別構成を例示するブロック図である。
【図４】図１および図２に示した処理条件テーブルの一例を示す図である。
【図５】本発明の実施の形態２にかかる無線型被検体内情報取得システムの全体構成を示す模式図である。
【図６】図５に示した受信システムの構成を示すブロック図である。
【符号の説明】
【００３９】
１    被検体
２，２２    受信装置
２ａ，２２ａ    無線ユニット
２ｂ    受信本体ユニット
３    カプセル型内視鏡
４    表示装置
５    携帯型記録媒体
１１，３１    受信回路
１２，３２    メモリ
１２ａ，３２ａ    無線ユニットＩＤ情報
１３    信号処理回路
１４    Ａ／Ｄ変換部
１５，５５    出力部
１５ａ，５５ａ    画像表示部
１６，５６    記憶部
１６ａ，５６ａ    処理条件テーブル
１７，５７    電力供給部
４２    受信システム
４２ｂ    受信本体装置
４２ｃ    ケーブル
５８    入力部
Ａ１〜Ａｎ，Ｂ１    受信用アンテナ
Ｃ１，Ｃ２    制御部
Ｃ１ａ    切替制御部
Ｃ１ｂ，Ｃ２ｂ    設定制御部
ＳＷ    切替スイッチ
【図１】
2006102007.tif 000003
【図２】
2006102007.tif 000004
【図３】
2006102007.tif 000005
【図４】
2006102007.tif 000006
【図５】
2006102007.tif 000007
【図６】
2006102007.tif 000008